(57)【特許請求の範囲】
【請求項１】
昇降路壁の開口部に設けられた出し入れ口と、
上記出し入れ口の上半を開閉する上側上下戸と、
上記出し入れ口の下半を開閉する下側上下戸と、
上記出し入れ口の上枠の上方となる上記昇降路壁に枢着され、上記出し入れ口における間口方向の両側に配置された第一滑車及び第二滑車と、
上記出し入れ口の上枠の上方となる上記昇降路壁に枢着され、上記出し入れ口における間口方向の中心寄りに配置された第一駆動車及び第二駆動車と、
上記第一駆動車に固定された第一歯車及び上記第二駆動車に固定されて上記第一歯車と噛み合う第二歯車からなる伝動機構と、
一端が上記上側上下戸に連結されて上記第一駆動車及び上記第一滑車に巻掛けられ、他端が上記下側上下戸に連結された第一可撓条体と、
一端が上記上側上下戸に連結されて上記第二駆動車及び上記第二滑車に巻掛けられ、他端が上記下側上下戸に連結された第二可撓条体と、
上記出し入れ口の上枠の上面側に設けられ、上記上枠と上記開口部を形成する上記昇降路壁下端との間に配置された電動機と、
上記電動機及び上記第一駆動車に設けられ、上記電動機の駆動力を上記第一駆動車に伝達する巻掛伝動機構と、
を備えたことを特徴とする小荷物専用昇降機用出し入れ口装置。
【請求項２】
昇降路壁の開口部に設けられた出し入れ口と、
上記出し入れ口の上半を開閉する上側上下戸と、
上記出し入れ口の下半を開閉する下側上下戸と、
上記出し入れ口の上枠の上方となる上記昇降路壁に枢着され、上記出し入れ口における間口方向の両側に配置された第一駆動車及び第二駆動車と、
上記第一駆動車に固定された第一伝動車及び第二駆動車に固定された第二伝動車の両者並びにこれら両者に巻掛けられた伝動条体からなる伝動機構と、
一端が上記上側上下戸に連結されて上記第一駆動車に巻掛けられ、他端が上記下側上下戸に連結された第一可撓条体と、
一端が上記上側上下戸に連結されて上記第二駆動車に巻掛けられ、他端が上記下側上下戸に連結された第二可撓条体と、
上記出し入れ口の上枠の上面側に設けられ、上記上枠と上記開口部を形成する上記昇降路壁下端との間に配置された電動機と、
上記電動機及び上記第一駆動車に設けられ、上記電動機の駆動力を上記第一駆動車に伝達する巻掛伝動機構と、
を備えたことを特徴とする小荷物専用昇降機用出し入れ口装置。
【請求項３】
出し入れ口の上縁部に設けられて上側上下戸が全閉位置に下降したときに動作する戸閉検出器と、
上記出し入れ口の上方に設けられて上記上側上下戸が全開位置に上昇したときに動作する戸開検出器と
を備えたことを特徴とする請求項１又は請求項２に記載の小荷物専用昇降機用出し入れ口装置。
【発明の詳細な説明】
【０００１】
【発明の属する技術分野】
この発明は、ダムウエータ、すなわち小荷物専用昇降機のかごに設けられた出し入れ口、昇降路に設けられた出し入れ口に装備される小荷物専用昇降機用出し入れ口装置に関する。
【０００２】
【従来の技術】
図７は、従来の小荷物専用昇降機用出し入れ口装置を示す図で、出し入れ口装置を概念的に示す斜視図である。図において、１は小荷物専用昇降機のかご、２はかご１に設けられた出し入れ口、３は出し入れ口２の上半を開閉する上側上下戸、４は出し入れ口２の下半を開閉する下側上下戸である。
【０００３】
５は出し入れ口２の縁部の上方に枢着されて出し入れ口２の間口方向の両側にそれぞれ配置された滑車、６は一端が上側上下戸３に連結されて滑車５に巻掛けられ他端は下側上下戸４に連結されたロープからなる可撓条体、７は出し入れ口２の縁部の上方に枢着されて出し入れ口２の間口方向の中心位置に配置された中心滑車である。
【０００４】
８は出し入れ口２の縁部の上方に装着されて出し入れ口２の間口方向の一側の側部に配置された駆動車、９は駆動ロープで、一端が上側上下戸３の間口方向の中心に連結されて中心滑車７及び駆動車８に巻掛けられ他端にはつり合おもり１０が連結されている。１１は駆動車８を回転駆動する電動機である。
【０００５】
４０は下側上下戸４に設けられて下側上下戸４の間口方向に突出して配置された開閉検出カム、２００は出し入れ口２の縁部に設けられて開閉検出カム４に対応する位置に配置され下側上下戸４が全閉位置に上昇したときに動作するスイッチからなる戸閉検出器、２１０は出し入れ口２の縁部に設けられて開閉検出カム４に対応する位置に配置され下側上下戸４が全開位置に下降したときに動作するスイッチからなる戸閉検出器である。
【０００６】
従来の小荷物専用昇降機用出し入れ口装置は上記のように構成され、出し入れ口２の戸閉時において上半が上側上下戸３、下半は下側上下戸４によって閉塞される。そして、出し入れ口２の戸開には電動機１１が付勢されて駆動車８を介して駆動ロープ９が引き上げられる。これにより上側上下戸３が上昇し、また可撓条体６を介して下側上下戸４が自重によって下降して出し入れ口２が開放される。なお、つり合おもり１０により駆動ロープ９に張力が付与される。
【０００７】
【発明が解決しようとする課題】
上記のような従来の小荷物専用昇降機用出し入れ口装置では、電動機１１に駆動される駆動ロープ９が設けられて上側上下戸３等が駆動され、また駆動ロープ９につり合おもり１０が連結されている。このため、上側上下戸３等を駆動する装置の構成部材数が増し設置費用が嵩むという問題点があった。
【０００８】
また、つり合おもり１０、電動機１１、開閉検出カム４０，戸閉検出器２００、戸閉検出器２０１が出し入れ口２の間口の外方位置に設置される。このため、手動開閉される出し入れ口装置に比較して小荷物専用昇降機の昇降路の間口を拡大することが必要になり、小荷物専用昇降機の設置所要スペースが増大して設置の制約が多くなるという問題点があった。
【０００９】
また、出し入れ口装置のつり合おもり１０をかご１の反出し入れ口２に配置する構成の場合には、昇降路の奥行き方向寸法を増すことが必要になるため小荷物専用昇降機の設置所要スペースが増大する。したがって、既設の小荷物専用昇降機の手動開閉出し入れ口装置を電動開閉出し入れ口装置に改修することは困難であった。
【００１０】
なお、駆動ロープ９、つり合おもり１０を省略した出し入れ口装置の構成として図７における滑車５をそれぞれ駆動車とし、これらの駆動車のそれぞれを電動機によって駆動して上側上下戸３等を駆動する機構が考えられる。しかし、このような機構の場合には、二個の電動機が必要であって出し入れ口装置の構成部材数が増し設置費用が嵩み、また装置の設置所要スペースが増大して装置設置の制約が多くなる。
【００１１】
この発明は、かかる問題点を解消するためになされたものであり、電動開閉機能を備え容易に設置できる小荷物専用昇降機用出し入れ口装置を得ることを目的とする。
【００１２】
【課題を解決するための手段】
この発明に係る小荷物専用昇降機用出し入れ口装置においては、昇降路壁の開口部に設けられた出し入れ口と、出し入れ口の上半を開閉する上側上下戸と、出し入れ口の下半を開閉する下側上下戸と、出し入れ口の上枠の上方となる昇降路壁に枢着され、出し入れ口における間口方向の両側に配置された第一滑車及び第二滑車と、出し入れ口の上枠の上方となる昇降路壁に枢着され、出し入れ口における間口方向の中心寄りに配置された第一駆動車及び第二駆動車と、第一駆動車に固定された第一歯車及び第二駆動車に固定されて第一歯車と噛み合う第二歯車からなる伝動機構と、一端が上側上下戸に連結されて第一駆動車及び第一滑車に巻掛けられ、他端が下側上下戸に連結された第一可撓条体と、一端が上側上下戸に連結されて第二駆動車及び第二滑車に巻掛けられ、他端が下側上下戸に連結された第二可撓条体と、出し入れ口の上枠の上面側に設けられ、上枠と開口部を形成する昇降路壁下端との間に配置された電動機と、電動機及び第一駆動車に設けられ、電動機の駆動力を第一駆動車に伝達する巻掛伝動機構と、が設けられる。
【００１４】
また、この発明に係る小荷物専用昇降機用出し入れ口装置においては、昇降路壁の開口部に設けられた出し入れ口と、出し入れ口の上半を開閉する上側上下戸と、出し入れ口の下半を開閉する下側上下戸と、出し入れ口の上枠の上方となる昇降路壁に枢着され、出し入れ口における間口方向の両側に配置された第一駆動車及び第二駆動車と、第一駆動車に固定された第一伝動車及び第二駆動車に固定された第二伝動車の両者並びにこれら両者に巻掛けられた伝動条体からなる伝動機構と、一端が上側上下戸に連結されて第一駆動車に巻掛けられ、他端が下側上下戸に連結された第一可撓条体と、一端が上側上下戸に連結されて第二駆動車に巻掛けられ、他端が下側上下戸に連結された第二可撓条体と、出し入れ口の上枠の上面側に設けられ、上枠と開口部を形成する昇降路壁下端との間に配置された電動機と、電動機及び第一駆動車に設けられ、電動機の駆動力を第一駆動車に伝達する巻掛伝動機構と、が設けられる。
【００１５】
また、この発明に係る小荷物専用昇降機用出し入れ口装置においては、出し入れ口の上縁部に設けられて上側上下戸が全閉位置に下降したときに動作する戸閉検出器と、出し入れ口の上方に設けられて上側上下戸が全開位置に上昇したときに動作する戸開検出器とが設けられる。
【００１６】
【発明の実施の形態】
実施の形態１．
図１及び図２は、この発明の実施の形態の一例を示す図で、図１は正面図、図２は図１の要部を概念的に示す側面図である。図において、１は小荷物専用昇降機のかご、２はかご１に設けられた出し入れ口、３は出し入れ口２の上半を開閉する上側上下戸、４は出し入れ口２の下半を開閉する下側上下戸である。
【００１７】
１２は出し入れ口２の間口方向の両側の縁部にそれぞれ配置されて長手が上下方向に配置された案内レール、１３は桁で、両側の案内レール１２の上端部を連結して配置されて出し入れ口２の縁部の上方に配置されている。５は桁１３に枢着されて出し入れ口２の縁部の上方に配置され、かつ出し入れ口２の間口方向の両側にそれぞれ配置された滑車である。
【００１８】
６は一端が上側上下戸３の間口方向の中心寄りに連結されて滑車５に巻掛けられ他端は下側上下戸４に連結されたロープからなる可撓条体、１４は第一駆動車で、桁１３に枢着されて出し入れ口２の縁部の上方に配置され、かつ出し入れ口２の間口方向の中心寄りに配置されて一側の可撓条体６が巻掛けられている。１５は第二駆動車で、桁１３に枢着されて出し入れ口２の縁部の上方に配置され、かつ出し入れ口２の間口方向の中心寄りに配置されて他側の可撓条体６が巻掛けられている。
【００１９】
１６は桁１３に装着されて第一駆動車１４を回転駆動する電動機、１７は伝動機構で、第一駆動車１４に固定された平歯車からなる第一歯車１８及び第二駆動車１５に固定されて第一歯車１８と噛み合う第二歯車１９によって構成されている。２０は出し入れ口２の上縁部に設けられて上側上下戸３が全閉位置に下降したときに動作するスイッチからなる戸閉検出器、２１は桁１３に設けられて上側上下戸３が全開位置に上昇したときに動作するスイッチからなる戸開検出器である。
【００２０】
上記のように構成された小荷物専用昇降機用出し入れ口装置において、出し入れ口２の戸閉時において上半が上側上下戸３、下半は下側上下戸４によって閉塞される。そして、この状態において下降位置に配置された上側上下戸３によって戸閉検出器２０が動作して出し入れ口２の全閉が検出される。
【００２１】
また、出し入れ口２の戸開には電動機１６が付勢されて第一駆動車１４の回転駆動により一側の可撓条体６が引き上げられ、また第一駆動車１４が駆動されて回転することによって伝動機構１７を介し、すなわち第一歯車１８及び第二歯車１９の噛み合いによって第二駆動車１５が回転駆動される。
【００２２】
これにより、他側の可撓条体６が引き上げられて上側上下戸３が案内レール１２に案内されて上昇し、また下側上下戸４が案内レール１２に案内されて下降して出し入れ口２が開放される。そして、この状態において上昇位置に配置された上側上下戸３によって戸開検出器２１が動作して出し入れ口２の全開が検出される。
【００２３】
上記のような構成では、前述の図７における上側上下戸３に連結された駆動ロープ９、つり合おもり１０を省くことができる。また、出し入れ口２の縁部の上方位置に戸閉検出器２０、戸開検出器２１が設けられるので、出し入れ口２の幅方向における特別なスペースを準備する必要がなく、出し入れ口装置の間口方向の所要スペースを少なくすることができる。また、設置された戸閉検出器２０等を容易に保守点検することができるので、保守点検作業の能率を向上することができる。
【００２４】
このため、上側上下戸３等を駆動する装置の構成部材数が少なくなって設置費用を節減できる。また、電動機１６、伝動機構１７、戸閉検出器２０、戸開検出器２１が出し入れ口２のほぼ間口内に配置されるので、上側上下戸３、下側上下戸４を駆動する小荷物専用昇降機用出し入れ口装置の設置所要スペースが減少して少ないスペースに出し入れ口装置を容易に設置することができる。
【００２５】
また、電動機１６、伝動機構１７、戸閉検出器２０、戸開検出器２１が出し入れ口２のほぼ間口内に配置される。このため、昇降路における出し入れ口２の間口の外側に出し入れ口装置の設置スペースを要しない。このため、手動開閉機構からなる既設の小荷物専用昇降機用出し入れ口装置を容易に電動開閉機構の出し入れ口装置に改修することができる。
【００２６】
また、図１及び図２の実施の形態において、伝動機構１７が次に述べるように構成された場合、すなわち第一歯車１８及び第二歯車１９の両者間にアイドラ歯車を設けて上記両者がアイドラ歯車を介して動作する構成、また第一駆動車１４及び第二駆動車１５が後述するたすき掛け伝動条体３１による伝動手段により動作する構成であっても、図１及び図２の実施の形態と同様な作用が得られる。
【００２７】
実施の形態２．
図３及び図４は、この発明の他の実施の形態の一例を示す図で、図３は正面図、図４は図３の要部を概念的に示す側面図である。図において、前述の図１及び図２と同符号は相当部分を示し、２２は小荷物専用昇降機の昇降路、２は昇降路２２に設けられた出し入れ口、３は出し入れ口２の上半を開閉する上側上下戸、４は出し入れ口２の下半を開閉する下側上下戸である。
【００２８】
１２は出し入れ口２の間口方向の両側の縁部にそれぞれ配置されて長手が上下方向に配置された案内レール、１３は桁で、両側の案内レール１２の上端部を連結して配置されて出し入れ口２の縁部の上方に配置されている。５は桁１３に枢着されて出し入れ口２の縁部の上方に配置され、かつ出し入れ口２の間口方向の両側にそれぞれ配置された滑車である。
【００２９】
６は一端が上側上下戸３の間口方向の中心寄りに連結されて滑車５に巻掛けられ他端は下側上下戸４に連結されたロープからなる可撓条体、１４は第一駆動車で、桁１３に枢着されて出し入れ口２の縁部の上方に配置され、かつ出し入れ口２の間口方向の中心寄りに配置されて一側の可撓条体６が巻掛けられている。１５は第二駆動車で、桁１３に枢着されて出し入れ口２の縁部の上方に配置され、かつ出し入れ口２の間口方向の中心寄りに配置されて他側の可撓条体６が巻掛けられている。
【００３０】
２３は出し入れ口２の上枠の上面側に装着された電動機、２４は電動機２３の出力軸に固定された出力駆動車、２５は第一駆動車１４と同軸に配置され第一駆動車１４に固定された入力駆動車、２６は無端状をなし出力駆動車２４及び入力駆動車２５に巻掛けられた駆動条体である。２７は出力駆動車２４、入力駆動車２５及び駆動条体２６からなる巻掛伝動機構である。
【００３１】
上記のように構成された小荷物専用昇降機用出し入れ口装置においても、出し入れ口２の戸閉時において上半が上側上下戸３、下半は下側上下戸４によって閉塞される。そして、この状態において下降位置に配置された上側上下戸３によって戸閉検出器２０が動作して出し入れ口２の全閉が検出される。
【００３２】
また、出し入れ口２の戸開には電動機２３が付勢されて出力駆動車２４の回転が巻掛伝動機構２７により、すなわち駆動条体２６を介して入力駆動車２５に伝達される。これにより、第一駆動車１４が回転駆動されて一側の可撓条体６が引き上げられ、また、第一駆動車１４が駆動されて回転することによって伝動機構１７を介し、すなわち第一歯車１８及び第二歯車１９の噛み合いによって第二駆動車１５が回転駆動される。
【００３３】
これにより、他側の可撓条体６が引き上げられて上側上下戸３が案内レール１２に案内されて上昇し、また下側上下戸４が案内レール１２に案内されて下降して出し入れ口２が開放される。そして、この状態において上昇位置に配置された上側上下戸３によって戸開検出器２１が動作して出し入れ口２の全開が検出される。
【００３４】
このように、図３及び図４に示す構成においても前述の図７における上側上下戸３に連結された駆動ロープ９、つり合おもり１０を省くことができる。したがって、詳細な説明を省略するが図３及び図４の実施の形態においても図１及び図２の実施の形態と同様な作用が得られる。
【００３５】
また、図３及び図４の実施の形態において、電動機２３が、出し入れ口２の上枠と、この上枠の上面側における昇降路２２壁下端との間に形成された空所に設けられて、両側の案内レール１２の相互間に配置される。このため、小荷物専用昇降機用出し入れ口装置の設置所要スペースが減少して少ないスペースに出し入れ口装置を容易に設置することができる。
【００３６】
また、出力駆動車２４、入力駆動車２５及び駆動条体２６からなる巻掛伝動機構２７による電動機２３からの駆動系を薄形とし、これらの駆動系が出し入れ口２の上枠の上方における昇降路２２壁の内側に配置される。このため、出し入れ口２の上枠の上方の昇降路２２壁に特殊な切り欠きを設けたり、特別に薄くしたりする等の建築工事における特別な対策が不要である。したがって、小荷物専用昇降機用出し入れ口装置を昇降路２２に容易に設置することができる。
【００３７】
さらに電動機２３を、出し入れ口２の上枠の上面側における昇降路２２壁下端との間に水平方向に形成された空所内に配置して、両側の案内レール１２の相互間において出し入れ口２の間口方向に移動可能に装着する。このような構成によって、電動機２３を出し入れ口２の間口方向に適宜に移動することによって駆動条体２６の張力を容易に調整することができ、据付、保守作業の能率を向上することができる。
【００３８】
実施の形態３．
図５も、この発明の他の実施の形態の一例を示す図で、出し入れ口装置を概念的に示す斜視図である。なお、図５の他は前述の図１及び図２と同様に小荷物専用昇降機用出し入れ口装置が構成されている。図において、図１及び図２と同符号は相当部分を示し、１４は出し入れ口２の間口方向の一方の縁部の上方に配置されて一側の可撓条体６が巻掛けられた第一駆動車、１５は出し入れ口２の間口方向の他方の縁部の上方に配置されて他側の可撓条体６が巻掛けられた第二駆動車である。
【００３９】
２８は伝動機構であり、第一駆動車１４と同軸に配置され第一駆動車１４に固定された第一伝動車２９、第二駆動車１５と同軸に配置され第二駆動車１５に固定された第二伝動車３０並びに無端状をなし第一伝動車２９及び第二伝動車３０にたすき掛けにより巻掛けられた伝動条体３１によって構成されている。
【００４０】
上記のように構成された小荷物専用昇降機用出し入れ口装置においても、出し入れ口２の戸閉時において上半が上側上下戸３、下半は下側上下戸４によって閉塞される。そして、この状態において下降位置に配置された上側上下戸３によって戸閉検出器２０が動作して出し入れ口２の全閉が検出される。
【００４１】
また、出し入れ口２の戸開には電動機１６が付勢されて第一駆動車１４の回転により第一駆動車１４が回転駆動されて一側の可撓条体６が引き上げられ、また、第一駆動車１４が駆動されて回転することによって伝動機構２８を介し、すなわち伝動条体３１、第二伝動車３０を介して第二駆動車１５が回転し、他側の可撓条体６が引き上げられる。
【００４２】
これによって、案内レール１２に案内されて上側上下戸３が上昇し、また下側上下戸４が下降して出し入れ口２が開放される。そして、この状態において上昇位置に配置された上側上下戸３によって戸開検出器２１が動作して出し入れ口２の全開が検出される。
【００４３】
このように、図５に示す構成においても前述の図７における上側上下戸３に連結された駆動ロープ９、つり合おもり１０を省くことができる。したがって、詳細な説明を省略するが図５の実施の形態においても図１及び図２の実施の形態と同様な作用が得られる。
【００４４】
また、図５の実施の形態において、前述の図３及び図４の実施の形態と同様に出し入れ口２の上枠の上面側における昇降路２２壁下端との間の空所内に電動機１６を設ける。そして、図３及び図４における駆動条体２６によって第一伝動車２９及び第二伝動車３０のいずれかを駆動する。このような構成によっても図５の実施の形態における作用を得ることができる。
【００４５】
実施の形態４．
図６も、この発明の他の実施の形態の一例を示す図で前述の図４相当図である。なお、図６の他は前述の図１及び図２と同様に小荷物専用昇降機用出し入れ口装置が構成されている。図において、図１及び図２と同符号は相当部分を示し、３２はユニット形の出し入れ口フレームで、出し入れ口２が設けられた建物の階床に床面から天井側に向かって立設されている。３３は電動機室で、出し入れ口フレーム３２の天井寄り位置に設けられて昇降路２２側が開口して反昇降路２２側に突出して形成されている。３４は電動機室３３内に設置された電動機で、第一駆動車１４を駆動する。
【００４６】
上記のように構成された小荷物専用昇降機用出し入れ口装置においても、電動機３４が付勢されて上側上下戸３及び下側上下戸４が駆動されて出し入れ口２が開閉される。そして、図６に示す構成においても前述の図７における上側上下戸３に連結された駆動ロープ９、つり合おもり１０を省くことができる。したがって、詳細な説明を省略するが図６の実施の形態においても図１及び図２の実施の形態と同様な作用が得られる。
【００４７】
また、図６の構成において、出し入れ口フレーム３２の奥行きが浅くなるので、この奥行き寸法に電動機３４を設置することが困難である。しかし、出し入れ口２が設けられた階床の天井寄りに設けられた電動機室３３に電動機３４が配置される。このため、出し入れ口２が設けられた階床の邪魔にならない位置に電動機３４を不都合なく設置することができて、ユニット形による後付け式の小荷物専用昇降機用出し入れ口装置を実現できる。したがって、手動開閉機構からなる既設の小荷物専用昇降機用出し入れ口装置を電動開閉機構の出し入れ口装置に改修する工事に容易に対応することができる。
【００４８】
【発明の効果】
この発明は以上説明したように、昇降路壁の開口部に設けられた出し入れ口と、出し入れ口の上半を開閉する上側上下戸と、出し入れ口の下半を開閉する下側上下戸と、出し入れ口の上枠の上方となる昇降路壁に枢着され、出し入れ口における間口方向の両側に配置された第一滑車及び第二滑車と、出し入れ口の上枠の上方となる昇降路壁に枢着され、出し入れ口における間口方向の中心寄りに配置された第一駆動車及び第二駆動車と、第一駆動車に固定された第一歯車及び第二駆動車に固定されて第一歯車と噛み合う第二歯車からなる伝動機構と、一端が上側上下戸に連結されて第一駆動車及び第一滑車に巻掛けられ、他端が下側上下戸に連結された第一可撓条体と、一端が上側上下戸に連結されて第二駆動車及び第二滑車に巻掛けられ、他端が下側上下戸に連結された第二可撓条体と、出し入れ口の上枠の上面側に設けられ、上枠と開口部を形成する昇降路壁下端との間に配置された電動機と、電動機及び第一駆動車に設けられ、電動機の駆動力を第一駆動車に伝達する巻掛伝動機構と、を設けたものである。
【００５１】
これによって、出し入れ口の上半が上側上下戸、下半は下側上下戸によって閉塞される。そして、電動機が付勢されて巻掛伝動機構を介して第一駆動車が回転駆動されて第一可撓条体が引き上げられ、また第一駆動車の回転が伝動機構によって第二駆動車に伝動されて第二可撓条体が引き上げられる。これにより、上側上下戸が上昇し、また下側上下戸が下降して出し入れ口が開放される。このような構成により出し入れ口装置の構成部材数が少なくなって設置費用を節減でき、また設置所要スペースが減少して出し入れ口装置の設置を容易化する効果がある。また、手動開閉機構からなる既設の出し入れ口装置の電動開閉機構への改修を容易化する効果がある。
【００５２】
また、この発明は以上説明したように、昇降路壁の開口部に設けられた出し入れ口と、出し入れ口の上半を開閉する上側上下戸と、出し入れ口の下半を開閉する下側上下戸と、出し入れ口の上枠の上方となる昇降路壁に枢着され、出し入れ口における間口方向の両側に配置された第一駆動車及び第二駆動車と、第一駆動車に固定された第一伝動車及び第二駆動車に固定された第二伝動車の両者並びにこれら両者に巻掛けられた伝動条体からなる伝動機構と、一端が上側上下戸に連結されて第一駆動車に巻掛けられ、他端が下側上下戸に連結された第一可撓条体と、一端が上側上下戸に連結されて第二駆動車に巻掛けられ、他端が下側上下戸に連結された第二可撓条体と、出し入れ口の上枠の上面側に設けられ、上枠と開口部を形成する昇降路壁下端との間に配置された電動機と、電動機及び第一駆動車に設けられ、電動機の駆動力を第一駆動車に伝達する巻掛伝動機構と、を設けたものである。
【００５３】
これによって、出し入れ口の上半が上側上下戸、下半は下側上下戸によって閉塞される。そして、電動機が付勢されて巻掛伝動機構を介して第一駆動車が回転駆動されて第一可撓条体が引き上げられ、また第一駆動車の回転が伝動機構により第二駆動車に伝動されて第二駆動車の回転駆動によって第二可撓条体が引き上げられる。これにより、上側上下戸が上昇し、また下側上下戸が下降して出し入れ口が開放される。このような構成により出し入れ口装置の構成部材数が少なくなって設置費用を節減でき、また設置所要スペースが減少して出し入れ口装置の設置を容易化する効果がある。また、手動開閉機構からなる既設の出し入れ口装置の電動開閉機構への改修を容易化する効果がある。
【００５４】
また、この発明は以上説明したように、出し入れ口の上縁部に設けられて上側上下戸が全閉位置に下降したときに動作する戸閉検出器と、出し入れ口の上方に設けられて上側上下戸が全開位置に上昇したときに動作する戸開検出器とを設けたものである。
【００５５】
このように、出し入れ口の縁部の上方位置に戸閉検出器、戸開検出器が設けられるので、特別なスペースを要せずに戸閉検出器等を配置でき、設置所要スペースが減少して出し入れ口装置の設置を容易化する効果がある。また、手動開閉機構からなる既設の出し入れ口装置の電動開閉機構への改修を容易化する効果がある。また、設置された戸閉検出器等を出し入れ口の上部において容易に保守点検することができ、保守点検作業の能率を向上する効果がある。
【図面の簡単な説明】
【図１】  この発明の実施の形態１を示す正面図。
【図２】  図１の要部を概念的に示す側面図。
【図３】  この発明の実施の形態２を示す正面図。
【図４】  図３の要部を概念的に示す側面図。
【図５】  この発明の実施の形態３を概念的に示す斜視図。
【図６】  この発明の実施の形態４を概念的に示す図で、前述の図４相当図である。
【図７】  従来の小荷物専用昇降機用出し入れ口装置を概念的に示す斜視図。
【符号の説明】
２  出し入れ口、    ３  上側上下戸、    ４  下側上下戸、    ５  滑車、６  可撓条体、    １４  第一駆動車、    １５  第二駆動車、    １６電動機、    １７  伝動機構、    １８  第一歯車、    １９  第二歯車、
２０  戸閉検出器、    ２１  戸開検出器、    ２３  電動機、    ２７  巻掛伝動機構、    ２８  伝動機構、    ２９  第一伝動車、    ３０  第二伝動車、    ３１  伝動条体。
【図１】
0003935722.tif 000002
【図２】
0003935722.tif 000003
【図３】
0003935722.tif 000004
【図４】
0003935722.tif 000005
【図５】
0003935722.tif 000006
【図６】
0003935722.tif 000007
【図７】
0003935722.tif 000008